(57)【要約】【課題】カラー画像表示装置の色再現特性を評価する。【解決手段】観視方向が異なると表示色の見え方が異なる画素が二次元配列されることで画面が構成される表示装置の評価を行うとき、評価用カラー画像を表示する画面を第１位置から見るときの各画素毎の観視方向を求めると共に、求めた観視方向から当該画素を見たときの前記カラー画像の色の見え方を求めるステップと、前記カラー画像を表示する画面を第２位置から見るときの各画素毎の観視方向を求めると共に、求めた観視方向から当該画素を見たときの前記カラー画像の色の見え方を求めるステップと、第１位置から画面を見るときに求めた各画素毎の色の見え方と、第２位置から画面を見るときに求めた各画素毎の色の見え方との色差を求めるステップと、各画素毎の色差から表示装置の評価値を求めるステップとを備える。【選択図】図１
2007093466.tif 000002
【特許請求の範囲】
【請求項１】
観視方向が異なると表示色の見え方が異なる画素が二次元配列されることで画面が構成されるカラー画像表示装置の評価支援方法において、
評価用カラー画像を表示する前記画面を第１観視位置から見るときの各画素毎の観視方向を求めると共に、求めた観視方向から当該画素を見たときの前記評価用カラー画像の色の見え方を求めるステップと、
前記評価用カラー画像を表示する前記画面を第１観視位置と異なる第２観視位置から見るときの各画素毎の観視方向を求めると共に、求めた観視方向から当該画素を見たときの前記評価用カラー画像の色の見え方を求めるステップと、
前記第１観視位置から前記画面を見るときに求めた各画素毎の色の見え方と、前記第２観視位置から前記画面を見るときに求めた各画素毎の色の見え方との色差を求めるステップと、
各画素毎の前記色差から前記カラー画像表示装置の評価値を求めるステップとを備えることを特徴とするカラー画像表示装置の評価支援方法。
【請求項２】
前記カラー画像表示装置の所定画素に所定色の画像データを表示させ該所定色の表示輝度階調を変化させながら該所定画素の測色を行うと共に、該所定画素に対する観視方向を変化させながら各観視方向毎の前記測色を行って各測色データを保存しておき、前記色の見え方を前記測色データに基づいて求めることを特徴とする請求項１に記載のカラー画像表示装置の評価支援方法。
【請求項３】
前記色差は、ＣＩＥ１９７６Ｌ＊ｕ＊ｖ色空間、またはＣＩＥ１９７６Ｌ＊ａ＊ｂ色空間、ＣＩＥ  ＤＥ  ２０００またはＣＩＥＣＡＭ０２のＬＨＣで定義される色空間を使用して求めることを特徴とする請求項１または請求項２に記載のカラー画像表示装置の評価支援方法。
【請求項４】
前記色差を求める際の基準白色点として、前記第１観視位置から前記画面を見るときの白色点と前記第２観視位置から前記画面を見るときの白色点とを内分する点（両端を含む）を使用することを特徴とする請求項３に記載のカラー画像表示装置の評価支援方法。
【請求項５】
前記色差を求めるとき、前記評価用カラー画像における色差の上位一定割合の領域に含まれる色差の平均と、全画素平均の色差とを所定比率で足し合わせた加算値を用いることを特徴とする請求項３に記載のカラー画像表示装置の評価支援方法。
【請求項６】
前記加算値に観視方向に対して設定した重み関数を乗算した値を前記評価値とすることを特徴とする請求項５に記載のカラー画像表示装置の評価支援方法。
【請求項７】
求めた色差と観視方向との関係をマップ状に表した色差等高線を前記評価値とすることを特徴とする請求項１乃至請求項５のいずれかに記載のカラー画像表示装置の評価支援方法。
【請求項８】
前記画面を構成する全画素で前記色差を求める代わりに、該画面を複数領域に分割し、各分割領域毎に色差を求める画素を定めることを特徴とする請求項１乃至請求項７のいずれかに記載のカラー画像表示装置の評価支援方法。
【請求項９】
観視方向が異なると表示色の見え方が異なる画素が二次元配列されることで画面が構成されるカラー画像表示装置の評価値を算出する演算手段を備える支援装置において、前記演算手段が、
評価用カラー画像を表示する前記画面を第１観視位置から見るときの各画素毎の観視方向を求めると共に、求めた観視方向から当該画素を見たときの前記評価用カラー画像の色の見え方を求める手段と、
前記評価用カラー画像を表示する前記画面を第１観視位置と異なる第２観視位置から見るときの各画素毎の観視方向を求めると共に、求めた観視方向から当該画素を見たときの前記評価用カラー画像の色の見え方を求める手段と、
前記第１観視位置から前記画面を見るときに求めた各画素毎の色の見え方と、前記第２観視位置から前記画面を見るときに求めた各画素毎の色の見え方との色差を求める手段と、
各画素毎の前記色差から前記カラー画像表示装置の評価値を求める手段とを備えることを特徴とするカラー画像表示装置の評価支援装置。
【請求項１０】
前記カラー画像表示装置の所定画素に所定色の画像データを表示させ該所定色の表示輝度階調を変化させながら該所定画素の測色を行うと共に、該所定画素に対する観視方向を変化させながら各観視方向毎の前記測色を行って各測色データを保存しておき、前記色の見え方を前記測色データに基づいて求めることを特徴とする請求項９に記載のカラー画像表示装置の評価支援装置。
【請求項１１】
前記色差は、ＣＩＥ１９７６Ｌ＊ｕ＊ｖ色空間、またはＣＩＥ１９７６Ｌ＊ａ＊ｂ色空間、ＣＩＥ  ＤＥ  ２０００またはＣＩＥＣＡＭ０２のＬＨＣで定義される色空間を使用して求めることを特徴とする請求項９または請求項１０に記載のカラー画像表示装置の評価支援装置。
【請求項１２】
前記色差を求める際の基準白色点として、前記第１観視位置から前記画面を見るときの白色点と前記第２観視位置から前記画面を見るときの白色点とを内分する点（両端を含む）を使用することを特徴とする請求項１１に記載のカラー画像表示装置の評価支援装置。
【請求項１３】
前記色差を求めるとき、前記評価用カラー画像における色差の上位一定割合の領域に含まれる色差の平均と、全画素平均の色差とを所定比率で足し合わせた加算値を用いることを特徴とする請求項１１に記載のカラー画像表示装置の評価支援装置。
【請求項１４】
前記加算値に観視方向に対して設定した重み関数を乗算した値を前記評価値とすることを特徴とする請求項１３に記載のカラー画像表示装置の評価支援装置。
【請求項１５】
求めた色差と観視方向との関係をマップ状に表した色差等高線を前記評価値とすることを特徴とする請求項９乃至請求項１４のいずれかに記載のカラー画像表示装置の評価支援装置。
【請求項１６】
前記画面を構成する全画素で前記色差を求める代わりに、該画面を複数領域に分割し、各分割領域毎に色差を求める画素を定めることを特徴とする請求項９乃至請求項１５のいずれかに記載のカラー画像表示装置の評価支援装置。
【請求項１７】
コンピュータに、請求項１〜８のいずれか記載の各ステップを実行させることを特徴とするカラー画像表示装置の評価支援プログラム。
【発明の詳細な説明】
【技術分野】
【０００１】
本発明は、液晶パネルやリアプロジェクタ，陰極線管（ＣＲＴ）等のカラー画像を表示する画面の色再現特性を評価するカラー画像表示装置の評価支援方法及びその装置並びに評価支援プログラムに関する。
【背景技術】
【０００２】
近年、液晶パネルの画質が向上し、ＰＣモニタや家庭向けＴＶ用途として広く利用されるようになってきている。しかしながら、液晶パネル等の大画面のカラー画像表示では、観察方向に依存して輝度変動や色味変動が起きてしまうという問題がある。このような観察方向依存性が存在すると、観察者がどの方向から画面を見るかに依存して、表示画像の表示色が異なってしまうことになる。
【０００３】
例えば、液晶パネルを真正面から見ているときの表示色に対し、同一色を表示していても、この液晶パネルを斜めから見たときの色の見え方は異なってしまう。また、大画面化が進んだ近年の大型ディスプレイ装置にあっては、パネル中央位置に対する観察方向と画面周辺部に対する観察方向とが異なるため、同一色を全画面に表示していても、画面の位置によって色の見え方が異なってしまうという問題がある。
【０００４】
斯かる問題に対し、液晶パネルの場合には、新規な液晶表示方式の開発と光学補償フイルムの活用により、観察方向に依存した輝度変動や色味変動を抑えるような例が報告されている（例えば、下記の非特許文献１）。このような光学補償フイルムを開発していく上で、光学補償フイルムを使用した際の色再現特性を精度良くに評価できることが重要となる。
【０００５】
従来は、液晶パネルに白，黒，グレー，肌色また空色等の特定の色だけを含む画像を表示し、この状態で液晶パネルの任意の画素を正面から見たときの色と、その画素を正面以外の方向から見たときの色との色差を求め、この色差を基に、観察方向に依存した色味変動の度合い等を確認して色再現特性を評価するといった評価方法が行われている。
【０００６】
【非特許文献１】「液晶」Ｖｏｌ．８，Ｎｏ．２，ｐｐ８６（２００４）
【発明の開示】
【発明が解決しようとする課題】
【０００７】
しかしながら、従来の評価方法は、ある表示パネルについて、白と黒については色再現特性が良好だが、グレーと肌色については色再現特性があまり良好でないといった、特定の色毎の色再現特性の評価しかできない。カラー画像表示用のパネルは、一般に、複数の色が混在する画像を表示させて使用するものであるため、実際には、特定の色毎の色再現特性の評価よりも、複数の色が混在するような特定の画像を表示させたときに、その画像全体の色味が観察方向によってどのように変動するかを確認して、表示パネルの色再現特性の評価を行うことの方が重要である。しかし、従来、このような評価方法は提案されていなかった。
【０００８】
本発明の目的は、複数の色が混在する画像を表示画面に表示させたとき、その画像に対する表示画面の色再現特性を適切に評価することが可能なカラー画像表示装置の評価支援方法及びその装置並びに評価支援プログラムを提供することにある。
【課題を解決するための手段】
【０００９】
本発明の評価支援方法（及びその装置）は、観視方向が異なると表示色の見え方が異なる画素が二次元配列されることで画面が構成されるカラー画像表示装置の評価支援において、
評価用カラー画像を表示する前記画面を第１観視位置から見るときの各画素毎の観視方向を求めると共に、求めた観視方向から当該画素を見たときの前記評価用カラー画像の色の見え方を求めるステップ（手段）と、
前記評価用カラー画像を表示する前記画面を第１観視位置と異なる第２観視位置から見るときの各画素毎の観視方向を求めると共に、求めた観視方向から当該画素を見たときの前記評価用カラー画像の色の見え方を求めるステップ（手段）と、
前記第１観視位置から前記画面を見るときに求めた各画素毎の色の見え方と、前記第２観視位置から前記画面を見るときに求めた各画素毎の色の見え方との色差を求めるステップ（手段）と、
各画素毎の前記色差から前記カラー画像表示装置の評価値を求めるステップ（手段）とを備えることを特徴とする。
【００１０】
本発明の評価支援方法（及びその装置）は、前記カラー画像表示装置の所定画素に所定色の画像データを表示させ該所定色の表示輝度階調を変化させながら該所定画素の測色を行うと共に、該所定画素に対する観視方向を変化させながら各観視方向毎の前記測色を行って各測色データを保存しておき、前記色の見え方を前記測色データに基づいて求めることを特徴とする。
【００１１】
本発明の評価支援方法（及びその装置）の前記色差は、ＣＩＥ１９７６Ｌ＊ｕ＊ｖ色空間、またはＣＩＥ１９７６Ｌ＊ａ＊ｂ色空間、ＣＩＥ  ＤＥ  ２０００またはＣＩＥＣＡＭ０２のＬＨＣで定義される色空間を使用して求めることを特徴とする。
【００１２】
本発明の評価支援方法（及びその装置）は、前記色差を求める際の基準白色点として、前記第１観視位置から前記画面を見るときの白色点と前記第２観視位置から前記画面を見るときの白色点とを内分する点（両端を含む）を使用することを特徴とする。
【００１３】
本発明の評価支援方法（及びその装置）は、前記色差を求めるとき、前記評価用カラー画像における色差の上位一定割合の領域に含まれる色差の平均と、全画素平均の色差とを所定比率で足し合わせた加算値を用いることを特徴とする。
【００１４】
本発明の評価支援方法（及びその装置）は、前記加算値に観視方向に対して設定した重み関数を乗算した値を前記評価値とすることを特徴とする。
【００１５】
本発明の評価支援方法（及びその装置）は、求めた色差と観視方向との関係をマップ状に表した色差等高線を前記評価値とすることを特徴とする。
【００１６】
本発明の評価支援方法（及びその装置）は、前記画面を構成する全画素で前記色差を求める代わりに、該画面を複数領域に分割し、各分割領域毎に色差を求める画素を定めることを特徴とする。
【００１７】
本発明の評価支援プログラムは、コンピュータに、上記に記載の各ステップを実行させることを特徴とする。
【発明の効果】
【００１８】
本発明によれば、カラー画像を大画面に表示するカラー画像表示装置を様々な方角から観視したときの色再現特性を適切に評価することが可能になる。
【発明を実施するための最良の形態】
【００１９】
以下、本発明の一実施形態を図面を参照して説明する。
【００２０】
図１は、本発明の一実施形態に係る評価支援装置のブロック構成図である。本実施形態のカラー画像表示装置の評価支援装置１００は、評価対象とするカラー画像表示装置この例では液晶パネル１０と、液晶パネル１０の画面に表示されたカラー画像の測色を行う測色装置２０と、評価支援方法を実行するコンピュータ３０とを備える。
【００２１】
測色装置２０は、液晶パネル１０の画素に対し測色が可能であり、本実施形態では、図２（ａ）に示す様に、液晶パネル１０の画面１の方位角０°，４５°，９０°，…，３１５°の４５°間隔の計８ステップ、図２（ｂ）に示す様に、画面１に対する極角（画面１に立てた垂直線２に対する角度）０°，１０°，…，６０°の１０°間隔の計７ステップで、全部で８×７＝５６方向から測色を行うことが可能である。
【００２２】
極角が０°のときは方位角が何度であっても同一方向（正面）から測色することになるため、正確には、４９方向から測色を行うことが可能である。以下では、８ステップの方位角のそれぞれに番号ｉを付し、番号ｉは、角度が小さい順に１〜８の値をとるものとする。又、７ステップの極角のそれぞれに番号ｊを付し、番号ｊは、角度が小さい順に１〜７の値をとるものとする。
【００２３】
液晶パネル１０は、液晶層を挟む２つの透明電極と、画素毎に透明電極の上に設けられるＲ（赤色），Ｇ（緑色），Ｂ（青色）の３つのカラーフィルタとを備える。
【００２４】
コンピュータ３０は、カラー画像表示装置の評価支援プログラムを含むプログラムを実行するプロセッサを主体に構成される制御部３１と、プログラムを記憶するＲＯＭ３２やワークメモリとなるＲＡＭ３３と、外部とデータのやりとりを行うための入出力インターフェース３４とを備える。
【００２５】
以下、コンピュータ３０がカラー画像表示装置の評価支援プログラムを実行することによって実現されるカラー画像表示装置の評価支援方法について説明する。
【００２６】
先ず、視野角特性の評価対象となるカラー画像表示装置を用意する。この例では、液晶パネル１０を用意する。次に、液晶パネル１０の所定画素例えば中央位置の画素ａに測色装置２０を正対（極角０度）させ、画素ａに赤色（Ｒ）だけを表示させた状態にする。そして、この赤色（Ｒ）の表示階調ｋ（例えばｋ＝０〜２５５とする）を順に変更しながら、各表示階調毎に測色装置２０にて画素ａの色を測色し、Ｘ，Ｙ，Ｚ三刺激値ｆＸ，Ｒ（ｋ），ｆＹ，Ｒ（ｋ），ｆＺ，Ｒ（ｋ）を求める。表示階調ｋの変更は、１階調毎でなく、例えば１０階調毎に変更し、夫々の三刺激値を求めても良い。
【００２７】
次に、液晶パネル１０を測色装置２０に対して所要角度傾け、上記と同様にして中央位置の画素ａに表示した赤色（Ｒ）の測色を、赤色（Ｒ）の表示階調を変更しながら行い、夫々の三刺激値を求める。このような測色を、液晶パネル１０の測色装置２０に対する傾斜角度を変更しながら、上記の５６方向の全てについて実行する。
【００２８】
赤色（Ｒ）に対する５６方向の測色が終了したら、次に、中央位置の画素ａに、緑色（Ｇ）だけを表示させた状態にする。そして、赤色（Ｒ）の測色と同様に、５６方向の緑色（Ｇ）の測色を行い、Ｘ，Ｙ，Ｚ三刺激値ｆＸ，Ｇ（ｋ），ｆＹ，Ｇ（ｋ），ｆＺ，Ｇ（ｋ）を求める。同様にして、青色（Ｂ）の５６方向の測色を行い、Ｘ，Ｙ，Ｚ三刺激値ｆＸ，Ｂ（ｋ），ｆＹ，Ｂ（ｋ），ｆＺ，Ｂ（ｋ）を求める。
【００２９】
赤色（Ｒ）に対する三刺激値ｆＸ，Ｒ（ｋ），ｆＹ，Ｒ（ｋ），ｆＺ，Ｒ（ｋ）と、緑色（Ｇ）に対する三刺激値とｆＸ，Ｇ（ｋ），ｆＹ，Ｇ（ｋ），ｆＺ，Ｇ（ｋ）と、青色（Ｂ）に対する三刺激値ｆＸ，Ｂ（ｋ），ｆＹ，Ｂ（ｋ），ｆＺ，Ｂ（ｋ）は、それぞれ、画素の色を実際に測色して得られたものであるため、以下では、これらをまとめて測色三刺激値と呼ぶことにする。
【００３０】
以上の様にして求められた、表示階調ｋの関数として表される測色三刺激値の値を、入出力インターフェース３４を介してコンピュータ３０に取り込み、ＲＡＭ３３に記憶する。尚、測色は、中央画素ａに対してのみ実施したが、液晶パネル１０を構成する各画素それぞれの三刺激値は、液晶パネル１０の全画素が同一製造工程で製造されるため、画素ａの測色三刺激値と同じである仮定できる。
【００３１】
図３は、カラー画像表示装置の評価支援プログラムを実行するコンピュータ３０の処理手順を示すフローチャートである。まず、液晶パネル１０を評価する観察者位置の液晶パネル１０からの距離と、液晶パネル１０の大きさのデータをコンピュータ３０に入力させる（ステップＳ１）。
【００３２】
次に、評価用カラー画像としてどの画像を用いるかを選択させる（ステップＳ２）。評価用カラー画像は複数色が混在する画像が良く、評価したい色を主に含むカラー画像を選択させる。
【００３３】
例えば、肌色とグレーの色再現特性を重視したい場合は肌色とグレーが多く含まれる画像データ（例えば、日本規格協会発行の標準画像データＩＳＯ／ＪＩＳ−ＳＣＩＤのＮ１）を準備することが好ましく、様々な色をまんべんなく評価したい場合には、マクベスチャート画像データを利用することが好ましい。
【００３４】
尚、簡便な評価を実施するためには必ずしも画像データを準備する必要はなく、いくつかの色データの集合でも構わない。
【００３５】
次に、評価用カラー画像の画像データをコンピュータ３０が取り込み、この評価用カラー画像を液晶パネル１０に表示させたと仮定したとき（実際に表示させても、表示させなくても良い。）の液晶パネル１０の各画素位置における画像データ（Ｒ，Ｇ，Ｂの各色毎の階調データ）を求める（ステップＳ３）。
【００３６】
次に、評価用画像データを液晶パネル１０に表示させたと仮定したときの観察者位置毎の各画素の三刺激値を求める（ステップＳ４）。例えば先ず最初に、観察者が液晶パネル１０の中央画素に正対（極角０度）したときの液晶パネル１０の各画素の三刺激値を、上記の測色三刺激値を用いて算出する。
【００３７】
この場合、中央画素に対する観察者の極角は０度であるが、画面周辺部の画素に対する観察者の極角，方位角は中央画素とは異なる。しかし、観察者の液晶パネル１０からの距離と、液晶パネル１０の大きさとから、算出対象画素に対する極角，方位角は求まる。従って、この極角，方位角に対応する測色三刺激値をＲＡＭ３３を検索することで求め、下記式（１）により、液晶パネル１０の全画素夫々の三刺激値を算出する。
【００３８】
Ｘ＝ｆＸ，Ｒ（ｋ）＋ｆＸ，Ｇ（ｋ）＋ｆＸ，Ｂ（ｋ）
Ｙ＝ｆＹ，Ｒ（ｋ）＋ｆＹ，Ｇ（ｋ）＋ｆＹ，Ｂ（ｋ）        （１）
Ｚ＝ｆＺ，Ｒ（ｋ）＋ｆＺ，Ｇ（ｋ）＋ｆＺ，Ｂ（ｋ）
【００３９】
次に、観察者の位置を正面以外の位置（中央画素に対する上記５６方向のうちの極角０°を除く位置）に変えたときの液晶パネル１０の全画素夫々の三刺激値を、上記と同様にして求める。この観察者の位置を変えた場合でも、変更後の観察者の液晶パネル１０に対する位置から、液晶パネル１０の各画素の観察者に対する極角，方位角は算出でき、全画素夫々の三刺激値の算出を行う。
【００４０】
以上の計算を、上記の５６方向の全てに対して行う（ステップＳ５）。
【００４１】
次に、液晶パネル１０を、中央画素に対して正面（ｉ＝１〜８のいずれか，ｊ＝１）から見るときの色と、正面以外（ｉ＝１〜８のいずれか，ｊ＝２〜７のいずれか）の４８方向の各々から見るときの色との違いを、色空間における色差として算出する（ステップＳ６）。
【００４２】
色差としては、ＣＩＥ１９７６Ｌ＊ｕ＊ｖ色空間、ＣＩＥ１９７６Ｌ＊ａ＊ｂ色空間、ＣＩＥＣＡＭ０２のＬＨＣで定義される色空間等のいずれかの色空間を使用することが好ましい。Ｌ＊ｕ＊ｖ、Ｌ＊ａ＊ｂ、ＣＩＥ  ＤＥ  ２０００、ＣＩＥＣＡＭ０２のＬＨＣを算出する際に必要となる基準白色点の三刺激値（Ｘｗ，Ｙｗ，Ｚｗ）は、液晶パネル１０の任意の画素に白を表示させ、その任意の画素を第１の方向から見たときの三刺激値（これは、第１の方向で測色して得られた測色三刺激値のｋの値を全て２５５にして算出することができる、以下第１の白色三刺激値という）や、その任意の画素を第２の方向から見たときの４８パターンの三刺激値（これは、第２の方向で測色して得られた測色三刺激値のｋの値を全て２５５にして算出することができる）のいずれか（以下第２の白色三刺激値という）や、第１の白色三刺激値と第２の白色三刺激値を以下の式（２）により所定の割合で加算して得られる第３の白色三刺激値等を使用する。
【００４３】
Ｘｗ＝α・Ｘｗ１＋（１−α）・Ｘｗ２
Ｙｗ＝α・Ｙｗ１＋（１−α）・Ｙｗ２        （２）
Ｚｗ＝α・Ｚｗ１＋（１−α）・Ｚｗ２
ここで、Ｘｗ１，Ｙｗ１，Ｚｗ１は第１の白色三刺激値、Ｘｗ２，Ｙｗ２，Ｚｗ２は第２の白色三刺激値である。又、０≦α≦１である。
【００４４】
そして、評価用カラー画像を正面から見るときと、別の方向から評価用カラー画像を見るときとで、各画素の色差のうち最も値の大きい色差を抽出し、これをｄｍａｘとする。また、各画素間の色差の評価用カラー画像全体に渡る総和をとり、全画素数で割って平均化した値をｄａｖｅとする。
【００４５】
人間は、たとえ表示面積が小さな領域であっても画像中の最も色味変化の大きい箇所に敏感に影響を受けるという知見に基づき、正面から見た画像の画質に対し、斜め方向から見た画像の画質劣化程度をｄｉｊ（ｉは方位角の番号、ｊは極角の番号）として次式で表す。
【００４６】
ｄｉｊ＝β・ｄｍａｘ＋ｄａｖｅ                （３）
ここで、βは係数であり、ｄｍａｘの値は、色差値が上位一定割合の領域に含まれる色差の平均をとることもある。
【００４７】
次に、正面から画像を見る場合と別の観視方向から画像を見る場合の色差の値、から、例えば図４に示す様な色差等高線マップを作成する（ステップＳ７）。図４でのＸ軸，Ｙ軸のメモリは極角である。この色差等高線マップからも、液晶パネル１０の評価用カラー画像毎の色再現特性を評価することができる。
【００４８】
次に、観視方向の夫々に対して重み関数Ｗｉｊを設定し、上記のｄｉｊとこの重み関数Ｗｉｊを掛け合わせ、ｉとｊについて夫々加算して評価指標Ｓとする（ステップＳ８）。式で表すと、
Ｓ＝ΣΣＷｉｊ・ｄｉｊ            （４）
となる。
【００４９】
ここで、重み関数としては、カラー画像表示装置の利用者が重要と考える観視方向（斜めからカラー画像表示装置を観視する利用者にとっては斜め方向からの観視が重要となる。）に比重が高くなる様に設定するのが好ましいのはいうまでもない。また、観視方向から見たカラー画像表示装置の表示面積に比例した重みを設定することも可能である。
【００５０】
尚、上述した実施形態では、液晶パネルを例に説明したが、ＣＲＴやリアプロジェクタ等の他の種類のカラー画像表示装置にも本発明を適用可能である。また、画面を構成する全画素夫々について色差を求めたが、画面を複数領域に分割し、各領域毎に色差を求める画素を一画素定めても良い。
【産業上の利用可能性】
【００５１】
本発明は、カラー画像を大画面に表示するカラー画像表示装置を様々な方角から観視したときの色再現特性を適切に評価することができるため、液晶パネル，リアプロジェクタ等の大画面表示装置の評価を支援する方法等として有用である。
【図面の簡単な説明】
【００５２】
【図１】本発明の一実施形態を説明するための評価支援装置の概略構成図である。
【図２】方位角と極角の説明図である。
【図３】本発明の一実施形態に係る評価支援プログラムを実行したコンピュータの処理手順を示すフローチャートである。
【図４】色差等高線マップの一例を示す図である。
【符号の説明】
【００５３】
１０  液晶パネル（評価対象とするカラー画像表示装置の一例）
２０  測色装置
３０  コンピュータ
３１  制御部
３２  ＲＯＭ
３３  ＲＡＭ
３４  入出力インターフェース
１００  評価支援装置
【図１】
2007093466.tif 000003
【図２】
2007093466.tif 000004
【図３】
2007093466.tif 000005
【図４】
2007093466.tif 000006